(57)【要約】【課題】ボックス内に冷蔵庫が設置されている荷物収納ボックスにおいて、簡易な構成で冷蔵庫が盗られるのを防止する。【解決手段】荷物収納ボックス１０は、前面開口部１３を有するボックス本体１２と、ボックス本体１２の前面開口部１３を開閉する扉１６と、ボックス本体１２内に設置される冷蔵庫２０とを備える。冷蔵庫２０は下面に脚部３８を有し、脚部３８がボックス本体１２の底部１４ｂに固定される台座部材５０の取付穴に嵌り込んだ状態で冷蔵庫２０がボックス内に設置されている。脚部３８の台座部材５０への嵌り込み寸法は、冷蔵庫２０の上面とボックス本体１２の天井部１４ａとの間の隙間寸法Ｂよりも大きい。【選択図】図４
2020070959.tif 000002
【特許請求の範囲】
【請求項１】
前面開口部を有するボックス本体と、
前記ボックス本体の前面開口部を開閉する扉と、
前記ボックス本体内に設置される冷蔵庫と、を備える荷物収納ボックスであって、
前記冷蔵庫は下面に脚部を有し、前記脚部が前記ボックス本体の底部に固定される台座部材の取付穴に嵌り込んだ状態で前記冷蔵庫が設置されており、
前記脚部の前記台座部材への嵌り込み寸法は、前記冷蔵庫の上面と前記ボックス本体の天井部との間の隙間寸法よりも大きい、
荷物収納ボックス。
【請求項２】
前記ボックス本体は前記前面開口部に対向する後面開口部を有し、前記冷蔵庫はその後部に設けられた放熱部が前記後面開口部に臨んで設置されており、前記後面開口部を覆って前記ボックス本体に取り付けられるカバーには多数の通気孔が形成されている、請求項１に記載の荷物収納ボックス。
【請求項３】
前記カバーの下端部にはコード引出し用開口部が形成されている、請求項２に記載の荷物収納ボックス。
【発明の詳細な説明】
【技術分野】
【０００１】
本開示は、ボックス内に冷蔵庫が設置された荷物収納ボックスに関する。
【背景技術】
【０００２】
従来、システムキッチンに冷蔵庫が組み込まれた構成や、ホテル客室においてキャビネット内に冷蔵庫が設置された構成が知られている。例えば、特許文献１には、冷蔵庫をキャビネット内に収納した冷蔵庫収納家具が開示されている。
【先行技術文献】
【特許文献】
【０００３】
【特許文献１】特開平６−１１７７５０号公報
【発明の概要】
【発明が解決しようとする課題】
【０００４】
近年、不在時でも配達業者により配達される荷物を受け取ることができる宅配ボックスが普及し始めている。このような宅配ボックスは、配達業者が扉を開けてボックス内に荷物を収納し、扉を閉めて扉をロック状態とする。また、配達業者は、扉に設けられたスリットに伝票を差し込んで受領印をスタンプすることができる。その後、鍵を有する受取人が解錠して扉を開き、ボックス内から荷物を取り出すことができる。
【０００５】
例えば、ボックス内に冷蔵庫を収納した荷物収納ボックスを病院や検査施設などに設置し、ボックス内の冷蔵庫に例えば、血液、検査試料、薬品などの低温保存が必要な荷物を預け入れて扉をロックし、解錠権限を有するものが扉を解錠してボックス内の冷蔵庫から荷物を取り出すといった使用形態が想定される。この場合、荷物収納ボックスが未使用状態にあるとき扉がロックされていないため誰でも扉を開くことができるので、ボックス内に収納されている冷蔵庫が盗られるおそれがある。
【０００６】
本開示は、ボックス内に冷蔵庫が設置されている荷物収納ボックスにおいて、簡易な構成で冷蔵庫が盗られるのを防止することである。
【課題を解決するための手段】
【０００７】
本開示に係る荷物収納ボックスは、前面開口部を有するボックス本体と、ボックス本体の前面開口部を開閉する扉と、ボックス本体内に設置される冷蔵庫と、を備える。冷蔵庫は下面に脚部を有し、脚部がボックス本体の底部に固定される台座部材の取付穴に嵌り込んだ状態で冷蔵庫が設置されている。脚部の台座部材への嵌り込み寸法は、冷蔵庫の上面とボックス本体の天井部との間の隙間寸法よりも大きい。
【発明の効果】
【０００８】
本開示によれば、ボックス内に冷蔵庫が設置されている荷物収納ボックスにおいて、簡易な構成で冷蔵庫が盗られるのを防止することができる。
【図面の簡単な説明】
【０００９】
【図１】本開示の一実施形態である荷物収納ボックスを斜め前方から見た斜視図である。
【図２】図１に示した荷物収納ボックスを斜め後方から見た斜視図である。
【図３】ボックス扉と冷蔵庫扉を開放した状態の荷物収納ボックスを斜め前方から見た斜視図である。
【図４】ボックス本体の左側壁部を取り除いた状態で示す荷物収納ボックスの左側面図である。
【図５】冷蔵庫と台座部材とを分離した状態で示す斜視図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
以下では、宅配ボックスの扉がある方を「前」といい、その反対側を「後」という。また、「右」及び「左」は宅配ボックスの設置状態で前方（または正面）から見て規定される。さらに、前後方向と左右方向と上下方向は互いに直交する。
【００１２】
図１は、本開示の一実施形態である荷物収納ボックス１０を斜め前方から見た斜視図である。図２は、図１に示した荷物収納ボックス１０を斜め後方から見た斜視図である。図３は、ボックス扉と冷蔵庫扉を開放した状態の荷物収納ボックス１０を斜め前方から見た斜視図である。
【００１３】
図１及び図２に示すように、荷物収納ボックス１０は、ボックス本体１２、扉１６、及び、カバー１８を備える。また、荷物収納ボックス１０は、図３に示すように、ボックス内部に収納された冷蔵庫２０を備える。
【００１４】
ボックス本体１２は、天井部１４ａ、底部１４ｂ、左側壁部１４ｃ、及び、右側壁部１４ｄを含む。これらの天井部１４ａ、底部１４ｂ、左側壁部１４ｃ及び右側壁部１４ｄは、正面視で長方形枠状をなすように一体に構成または組み立てられている。ボックス本体１２には、正面視で長方形状をなす前面開口部１３が形成されている。
【００１５】
扉１６は、前面開口部１３を開閉する部材である。扉１６は、左側端部が図示しない軸またはヒンジによってボックス本体１２に回動可能に取り付けられている。これにより、扉１６は、ボックス本体１２の前面開口部１３を閉じた位置から左側端部を中心に右方向へ回動して前面開口部１３を開放する右開き構造になっている。
【００１６】
図１に示すように、扉１６には、操作部２２が設けられている。操作部２２には、扉開ボタン２４、スタンプボタン２６、スリット２８、及び、表示部３０が含まれる。また、操作部２２の裏側には、図３に示すように、施錠装置３２が配置されている。
【００１７】
扉開ボタン２４は、施錠装置３２によって扉１６が施錠された状態で押し操作されることにより施錠装置３２を解錠するボタンである。施錠装置３２は、図３に示すように、扉１６の左側端部の裏側の上端部および下端部にラッチ３４をそれぞれ有しており、扉閉状態でボックス本体１２の左側壁部１４ｃの前端部に設けたラッチ受け部（図示せず）にラッチ３４が係合することによって、扉１６が施錠またはロックされる。扉開ボタン２４は、例えば、後述する施錠コード入力部を介して適正な解錠コードが入力された後に押し操作されると、施錠装置３２が解錠されて扉１６が開放可能となる。
【００１８】
操作部２２において扉開ボタン２４とスタンプボタン２６は横並びで配置されている。スタンプボタン２６は、スリット２８に挿入された伝票に受領印をスタンプするためのボタンである。冷蔵庫２０内に荷物を収納して冷蔵庫２０の扉３６を閉じた後、ボックスの扉１６を閉じてロック状態とし、この状態でスリット２８の伝票を挿入してスタンプボタン２６を押し操作する。本実施形態では、施錠装置３２がスタンプ機構を備えており、スタンプボタン２６の押し操作によって伝票に１回だけスタンプされる。
【００１９】
図１に示すように、扉１６には、解錠コード入力部４０が設けられている。解錠コード入力部４０は、複数の数字ボタン４２と、設定ボタン４４とを含む。本実施形態では、数字ボタン４２は、数字の１〜７に対応する７つのボタンによって構成されており、このような数字ボタン４２と設定ボタン４４の組が４組設けられている。設定ボタン４４は、例えば数字１〜７の組み合わせからなる４桁の解錠コードを設定又は変更するときに押し操作するためのボタンである。
【００２０】
ロック状態にある扉１６を解錠して内部の冷蔵庫２０から荷物を取り出そうとする受取人は、解錠コード入力部４０の数字ボタン４２を用いて解錠コードを入力して、扉開ボタン２４を押し操作する。このとき、解錠コードが予め設定されている適正な解錠コードである場合には、施錠装置３２が解錠されて扉１６を開くことができる。
【００２１】
なお、本実施形態では、施錠装置３２を解錠コードの入力によって行う場合について説明したが、これに限定されるものではない。例えば、解錠コード入力部に代えて鍵部を設け、この鍵部の鍵穴に金属製の鍵を挿入して回し操作することによりロックが解除されてもよい。
【００２２】
操作部２２の表示部３０は、荷物収納ボックス１０の使用状態を表示する機能を有する。具体的には、荷物収納ボックス１０が荷物を受け取り可能な待機状態にあるとき表示部３０には「受け取りできます」と表示され、冷蔵庫２０に既に荷物が収納されているときには「使用中」と表示される。表示部３０は、施錠装置３２と連動して表示が切り替わる機械式のものであってもよいし、或いは、液晶ディスプレイ等の電気式のものであってもよい。
【００２３】
図３に示すように、荷物収納ボックス１０の内部には、冷蔵庫２０が設置されている。冷蔵庫２０は、ボックス本体１２の内側の空間に収納されている。冷蔵庫２０は、冷蔵庫本体２１と、冷蔵庫本体２１を開閉する扉３６とを備える。冷蔵庫２０には、周知または公知の如何なる構成のものが用いられてもよい。また、図３では冷蔵庫２０の内部が仕切板によって上下２室に区画されている例が示されるが、冷蔵庫２０の内部もまたどのように仕切られていてもよい。
【００２４】
図４は、ボックス本体１２の左側壁部１４ｃを取り除いた状態で示す荷物収納ボックス１０の左側面図である。図４に示すように、冷蔵庫２０は、その後部に放熱部２３を備える。冷蔵庫２０は、冷媒の加圧および減圧を繰り返し行いながら冷蔵庫内部を冷却するものであるが、冷媒によって吸収した熱を冷蔵庫２０の外部に放熱部２３から放出する。このような放熱部２３を有する冷蔵庫２０を荷物収納ボックス１０内に収納して設置する場合、冷蔵庫２０の放熱部２３から放出される熱をボックス外部に適正に逃がす必要がある。
【００２５】
ボックス本体１２は、前面開口部１３に対向する後面開口部１５を有する。カバー１８は、後面開口部１５を覆ってボックス本体１２に取り付けられている。より詳しくは、カバー１８は、左側面部及び右側面部の各前端縁部が、ボックス本体１２の左側壁部１４ｃ及び右側壁部１４ｄの各後端部にそれぞれ形成されているガイド溝（図示せず）に上方から挿入されて下方にスライドされる。そして、カバー１８は、ボックス本体１２の天井部１４ａの後端縁部がカバー１８の上面部内面に係合することにより上下方向位置が決まった状態でボックス本体１２に取り付けられる。冷蔵庫２０は、放熱部２３がボックス本体１２の後面開口部１５に臨んで設置されている。より詳しくは、冷蔵庫２０の放熱部２３は、ボックス本体１２の後面開口部１５から後方へ突出した状態で配置されている。ここで、ボックス本体１２の後面開口部１５は、ボックス本体１２の天井部１４ａの後端部から下方に垂下した後端壁部１７によって上下方向寸法が前面開口部１３より小さく形成されている。そして、冷蔵庫２０の上面と後端壁部１７との間には、上下方向寸法Ｃの隙間が形成されている。この隙間の寸法Ｃは、後述する隙間寸法Ｂよりも小さい。
【００２６】
カバー１８は、上面部、右側面部、左側面部、及び、後面部によって一体に構成されており、図１〜図４に示すように上面部、右側面部、左側面部、及び、後面部には多数の通気孔が形成されている。これにより、冷蔵庫２０の放熱部２３から放出された熱を荷物収納ボックス１０の外部に良好に放出することが可能になる。なお、荷物収納ボックス１０は病院等の建物内に設置されることが想定されるため、雨水がカバー１８の通気孔からボックス内に浸入することを心配する必要はない。
【００２７】
図２に示すように、カバー１８の下端部にはコード引出し用開口部１９が形成されている。この開口部１９は、下方から見て長方形状をなし、カバー１８の左右方向の全体にわたって形成されている。このようなコード引出し用開口部１９が形成されていることで、荷物収納ボックス１０内に収納された冷蔵庫２０に電力供給するための電源コードをコード引出し用開口部１９から容易に引き出すことができる。なお、本実施形態ではコード引出し用開口部１９がカバー１８の下端部に左右方向にわたって形成されている場合について説明したが、これに限定されるものでなく、コード引き出し用開口部の形状や形成位置は適宜に変更されてもよい。
【００２８】
図３に示すように、冷蔵庫２０は、ボックス本体１２の底部１４ｂの内面（または上面）に取り付けた台座部材５０を用いて設置されている。次に、図４及び図５を参照して、冷蔵庫２０の取付けについて説明する。
【００２９】
図５は、冷蔵庫２０と台座部材５０とを分離した状態で示す斜視図である。図５に示すように、冷蔵庫２０の底部下面には、複数の脚部３８が下方に突出して形成されている。本実施形態では、それぞれ円柱状をなす４本の脚部３８が設けられている例が示される。そのうち、２本の脚部３８は荷物収納ボックス１０の右側端部寄りの位置で前後方向に並んで配置され、残りの２本の脚部３８は荷物収納ボックス１０の左側端部寄りの位置で前後方向に並んで配置されている。なお、脚部３８は４本に限定されるものではなく、荷物収納ボックス１０を安定して支持できれば例えば６本等の他の数であってもよい。
【００３０】
図４及び図５に示すように、冷蔵庫２０は、台座部材５０によって荷物収納ボックス１０の底部に取り付けられている。台座部材５０は、例えば、金属製部材によって好適に構成される。台座部材５０は、図５に示すように、前後方向に延在する部材であり、長方形状をなす上面部５２と、上面部５２の幅方向両側から垂下して曲がった一対の側壁部５８と、各側壁部５８の下端から横方向（または水平方向）の外側に折れ曲がった取付部５４とを有する。
【００３１】
台座部材５０の上面部５２には、２つの取付穴５３が前後方向に並んだ２つの脚部３８に対応する間隔を開けて形成されている。取付穴５３は、脚部３８よりも少し大きい円形状に形成されるのが好ましい。これにより、取付穴５３に脚部３８が挿入されて荷物収納ボックス１０に取り付けられる冷蔵庫２０を水平方向にがたつき無く安定して取り付けることができる。
【００３２】
また、台座部材５０の取付部５４には、それぞれ、複数のネジ孔５６が形成されている。ネジ孔５６は、例えば、雌ネジ孔として形成されるのが好ましい。この場合、荷物収納ボックス１０の底部の下面の貫通孔に下方から挿入したネジをネジ孔５６にねじ込むことによって台座部材５０を荷物収納ボックス１０の底部１４ｂに固定することができる。ただし、これに限定されるものではなく、ネジ孔５６をネジ山のない貫通孔に形成し、ボルト及びナットを用いて荷物収納ボックス１０の底部１４ｂに台座部材５０を固定してもよい。
【００３３】
冷蔵庫２０の取り付けは、次のようにして行う。図５に示すように、２つの台座部材５０の取付穴５３に冷蔵庫２０の脚部３８をそれぞれ嵌め込んだ状態に組み付ける。この状態で、冷蔵庫２０を荷物収納ボックス１０の前面開口部１３からボックス本体１２内に収納する。そして、台座部材５０の取付部５４をネジ等によって底部１４ｂに固定する。これにより、台座部材５０を介して冷蔵庫２０がボックス本体１２内に設置される。
【００３４】
このように荷物収納ボックス１０内に収納及び設置された冷蔵庫２０では、脚部３８が台座部材５０の取付穴５３に嵌り込み、且つ、脚部３８の下端面が底部内面に当接している。このときの台座部材５０への脚部３８の嵌り込み寸法をＡとする。これに対し、冷蔵庫２０の上面とボックス本体１２の天井部１４ａの内面との間には隙間が形成されており、この隙間の上下方向の寸法をＢとすると、上記嵌り込み寸法Ａは隙間寸法Ｂよりも大きく設定されている。換言すれば、上記隙間寸法Ｂは上記嵌り込み寸法よりも小さく設定されている。すなわちＡ＞Ｂの関係を満たしている。
【００３５】
このようにＡ＞Ｂの関係を満たすように設定されていることで、荷物収納ボックス１０において扉１６を開いて、ボックス内部の冷蔵庫２０を持ち上げて取り出そうとしても、脚部３８が台座部材５０から外れる前に冷蔵庫２０の上面がボックス本体１２の天井部１４ａの内面に当接することになる。また、本実施形態では、後面開口部１５において冷蔵庫２０の上面と天井部１４ａの後端壁部１７との間の隙間寸法Ｃもまた、上記嵌り込み寸法Ａよりも小さい。そのため、ボックス内部の冷蔵庫２０を持ち上げたとき、脚部３８が台座部材５０から外れる前に、冷蔵庫２０の上面がボックス本体１２の天井部１４ａの後端壁部１７に当接することになる。したがって、工具等を用いて台座部材５０をボックス本体１２の底部１４ｂから取り外さない限り冷蔵庫２０を荷物収納ボックス１０から取り出すことができず、その結果、冷蔵庫２０が盗られるのを防止することができる。
【００３６】
上述したように本実施形態の荷物収納ボックス１０は、前面開口部１３を有するボックス本体１２と、ボックス本体１２の前面開口部１３を開閉する扉１６と、ボックス本体１２内に設置される冷蔵庫２０とを備える。冷蔵庫２０は下面に脚部３８を有し、脚部３８がボックス本体１２の底部１４ｂに固定される台座部材５０の取付穴５３に嵌り込んだ状態で冷蔵庫２０がボックス内に設置されている。そして、脚部３８の台座部材５０への嵌り込み寸法Ａは、冷蔵庫２０の上面とボックス本体１２の天井部１４ａとの間の隙間寸法Ｂよりも大きい。この構成によれば、ボックス内に冷蔵庫２０が設置されている荷物収納ボックス１０において、簡易な構成で冷蔵庫２０が盗られるのを防止することができる。
【００３７】
本実施形態に係る荷物収納ボックス１０において、ボックス本体１２は前面開口部１３に対向する後面開口部１５を有し、冷蔵庫２０はその後部に設けられた放熱部２３が後面開口部１５に臨んで設置されており、後面開口部１５を覆ってボックス本体１２に取り付けられるカバー１８には多数の通気孔が形成されているのが好ましい。この構成によれば、冷蔵庫２０の放熱部２３から放出された熱を荷物収納ボックス１０の外部に良好に放出することができる。
【００３８】
この場合、カバー１８の下端部にはコード引出し用開口部１９が形成されているのが好ましい。この構成によれば、荷物収納ボックス１０内に収納された冷蔵庫２０に電力供給するための電源コードをコード引出し用開口部１９から容易に引き出すことができる。
【００３９】
なお、本開示に係る荷物収納ボックスは、上述した実施形態およびその変形例に限定されるものではなく、本願の特許請求の範囲に記載された事項の範囲内において種々の変更や改良が可能であることは勿論である。
【符号の説明】
【００４０】
１０  荷物収納ボックス、１２  ボックス本体、１３  前面開口部、１４ａ  天井部、１４ｂ  底部、１４ｃ  左側壁部、１４ｄ  右側壁部、１５  後面開口部、１６  扉、１７  後端壁部、１８  カバー、１９  コード引出し用開口部、２０  冷蔵庫、２１  冷蔵庫本体、２２  操作部、２３  放熱部、２４  扉開ボタン、２６  スタンプボタン、２８  スリット、３０  表示部、３２  施錠装置、３４  ラッチ、３６  冷蔵庫の扉、３８  脚部、４０  解錠コード入力部、４２  数字ボタン、４４  設定ボタン、５０  台座部材、５２  上面部、５３  取付穴、５４  取付部、５６  ネジ孔、５８  側壁部、Ａ  嵌り込み寸法、Ｂ，Ｃ  隙間寸法。
【図１】
2020070959.tif 000003
【図２】
2020070959.tif 000004
【図３】
2020070959.tif 000005
【図４】
2020070959.tif 000006
【図５】
2020070959.tif 000007